(57)【要約】【課題】撮影画像に関連づけて情報を記録するようにした電子カメラシステムを得る。【解決手段】電子スチルカメラ１００と携帯電話機２００とが通信媒体３００で接続される。通信媒体３００は、たとえば、Ｂｌｕｅｔｏｏｔｈ（登録商標）などの無線通信である。携帯電話機２００は、電子スチルカメラ１００のリモコン送受信機として動作する。携帯電話機２００は、電話番号（所有者）、スケジュール、位置情報、着信メロディなどの各データを電子スチルカメラ１００へ送信する。電子スチルカメラ１００は、携帯電話機２００から操作信号が送信されると、受信した操作信号に応じてカメラ動作を行う。電子スチルカメラ１００は、撮影した画像データを記録媒体に記録するとき、携帯電話機２００から送信された情報を撮影した画像データに関連づけて記録媒体に記録する。【選択図】図１
2004096165.tif 000002
【特許請求の範囲】
【請求項１】
被写体像を撮像して画像信号を出力する撮像装置と、
外部機器との間で通信を行う通信回路と、
前記撮像装置による画像信号を記録媒体に記録する記録回路と、
前記通信回路を介して入力される情報を、前記画像信号に関連づけて前記記録媒体に記録するように前記記録回路を制御する制御回路とを備えることを特徴とする電子カメラ。
【請求項２】
被写体像を撮像して画像信号を出力する撮像装置と、外部機器との間で通信を行う第１の通信回路と、前記撮像装置による画像信号を記録媒体に記録する記録回路と、前記第１の通信回路を介して入力される情報を、前記画像信号に関連づけて前記記録媒体に記録するように前記記録回路を制御する第１の制御回路とを含む電子カメラと、
前記電子カメラとの間で通信を行う第２の通信回路と、前記電子カメラへの情報を格納する記憶回路と、前記記憶回路に格納されている情報を出力するように前記第２の通信回路を制御する第２の制御回路とを含む外部機器とを備えることを特徴とする電子カメラシステム。
【請求項３】
請求項２に記載の電子カメラシステムにおいて、
前記外部機器は携帯電話機であり、
前記第２の通信回路が出力し、前記第１の通信回路を介して入力される情報は、前記携帯電話機の電話番号、所有者名、スケジュール、位置、および着信メロディのうち少なくとも１つを示す情報であることを特徴とする電子カメラシステム。
【請求項４】
請求項２または３に記載の電子カメラシステムにおいて、
前記第２の制御回路は、電子カメラに対するレリーズ指示を出力するように前記第２の通信回路をさらに制御し、
前記第１の制御回路は、前記第１の通信回路を介して入力される前記レリーズ指示に応じて、前記画像信号を前記記録媒体に記録するように前記記録回路を制御することを特徴とする電子カメラシステム。
【請求項５】
請求項４に記載の電子カメラシステムにおいて、
前記外部機器は、表示装置をさらに備え、
前記第１の制御回路は、前記レリーズ指示に応じて、前記画像信号を出力するように前記第１の通信回路をさらに制御し、
前記第２の制御回路は、前記第２の通信回路を介して入力される前記画像信号による画像を表示するように前記表示装置をさらに制御することを特徴とする電子カメラシステム。
【請求項６】
請求項４に記載の電子カメラシステムにおいて、
前記外部機器は、前記記録媒体に記録されている画像信号およびこの画像信号に関連づけて記録されている情報の削除を指示する操作部材をさらに備え、
前記第２の制御回路は、前記操作部材の操作に応じて、前記削除の指示を出力するように前記第２の通信回路をさらに制御し、
前記第１の制御回路は、前記第１の通信回路を介して入力される前記削除指示に応じて、対応する画像信号およびこの画像信号に関連づけて記録されている情報を前記記録媒体からそれぞれ削除するように前記記録回路をさらに制御することを特徴とする電子カメラシステム。
【請求項７】
請求項５に記載の電子カメラシステムにおいて、
前記第２の制御回路は、前記画像信号を前記電子カメラへの情報と関連づけて格納するように前記記憶回路をさらに制御することを特徴とする電子カメラシステム。
【請求項８】
請求項７に記載の電子カメラシステムにおいて、
前記外部機器は、音声入力回路をさらに備え、
前記第２の制御回路は、前記音声入力回路から入力された音声を示す情報を前記画像信号に関連づけて格納するように前記記憶回路をさらに制御することを特徴とする電子カメラシステム。
【請求項９】
請求項５に記載の電子カメラシステムにおいて、
前記外部機器は、音声入力回路をさらに備え、
前記第２の制御回路は、前記音声入力回路から入力された音声を示す情報を出力するように前記第２の通信回路をさらに制御し、
前記第１の制御回路は、前記第１の通信回路を介して入力される音声情報を前記画像信号に関連づけて前記記録媒体に記録するように前記記録回路をさらに制御することを特徴とする電子カメラシステム。
【請求項１０】
請求項２に記載の電子カメラシステムにおいて、
前記外部機器は、電子カメラであることを特徴とする電子カメラシステム。
【発明の詳細な説明】
【０００１】
【発明の属する技術分野】
本発明は、外部機器との間で通信を行う電子カメラ、および電子カメラシステムに関する。
【０００２】
【従来の技術】
被写体の情報や撮影場所の情報などを、撮影した画像に関連づけて記録したいという要求がある。
【０００３】
【発明が解決しようとする課題】
画像に関連づける情報を記録する場合には、カメラで撮影した画像データをカメラからパソコンなどに取り込んだ上で、パソコン上で画像に関連づける情報を入力する必要があった。この方法では、撮影した後から情報を入力する作業が必要になり、手間と時間がかかっていた。
【０００４】
本発明の目的は、外部機器から出力される情報を撮影した画像に関連づけて記録するようにした電子カメラ、および電子カメラシステムを提供することにある。
【０００５】
【課題を解決するための手段】
本発明による電子カメラは、被写体像を撮像して画像信号を出力する撮像装置と、外部機器との間で通信を行う通信回路と、撮像装置による画像信号を記録媒体に記録する記録回路と、通信回路を介して入力される情報を、画像信号に関連づけて記録媒体に記録するように記録回路を制御する制御回路とを備えることにより、上述した目的を達成する。
本発明による電子カメラシステムは、被写体像を撮像して画像信号を出力する撮像装置と、外部機器との間で通信を行う第１の通信回路と、撮像装置による画像信号を記録媒体に記録する記録回路と、第１の通信回路を介して入力される情報を、画像信号に関連づけて記録媒体に記録するように記録回路を制御する第１の制御回路とを含む電子カメラと、電子カメラとの間で通信を行う第２の通信回路と、電子カメラへの情報を格納する記憶回路と、記憶回路に格納されている情報を出力するように第２の通信回路を制御する第２の制御回路とを含む外部機器とを備えることにより、上述した目的を達成する。
上記電子カメラシステムの外部機器は、携帯電話機でもよい。この場合に第２の通信回路が出力し、第１の通信回路を介して入力される情報は、携帯電話機の電話番号、所有者名、スケジュール、位置、および着信メロディのうち少なくとも１つを示す情報とすることができる。
上記電子カメラシステムの第２の制御回路は、電子カメラに対するレリーズ指示を出力するように第２の通信回路をさらに制御することもできる。この場合の第１の制御回路は、第１の通信回路を介して入力されるレリーズ指示に応じて、画像信号を記録媒体に記録するように記録回路を制御することもできる。
【０００６】
上記電子カメラシステムの外部機器はさらに、表示装置を備えてもよい。この場合の第１の制御回路は、レリーズ指示に応じて、画像信号を出力するように第１の通信回路をさらに制御するとよい。また、第２の制御回路は、第２の通信回路を介して入力される画像信号による画像を表示するように表示装置をさらに制御するとよい。
上記電子カメラシステムの外部機器はさらに、記録媒体に記録されている画像信号およびこの画像信号に関連づけて記録されている情報の削除を指示する操作部材を備えてもよい。この場合の第２の制御回路は、操作部材の操作に応じて、削除の指示を出力するように第２の通信回路をさらに制御するとよい。また、第１の制御回路は、第１の通信回路を介して入力される削除指示に応じて、対応する画像信号およびこの画像信号に関連づけて記録されている情報を記録媒体からそれぞれ削除するように記録回路をさらに制御するとよい。
上記画像表示する電子カメラシステムの第２の制御回路は、画像信号を電子カメラへの情報と関連づけて格納するように記憶回路をさらに制御することもできる。
上記画像表示する電子カメラシステムの外部機器はさらに、音声入力回路を備えてもよく、この場合の第２の制御回路は、音声入力回路から入力された音声を示す情報を画像信号に関連づけて格納するように記憶回路をさらに制御することもできる。
上記画像表示する電子カメラシステムの外部機器はさらに、音声入力回路を備えてもよく、この場合の第２の制御回路は、音声入力回路から入力された音声を示す情報を出力するように第２の通信回路をさらに制御することもできる。第１の制御回路は、第１の通信回路を介して入力される音声情報を画像信号に関連づけて記録媒体に記録するように記録回路をさらに制御することもできる。
上記電子カメラシステムの外部機器は、電子カメラで構成してもよい。
【０００７】
【発明の実施の形態】
以下、図面を参照して本発明の実施の形態を説明する。
図１は、本発明の一実施の形態による電子カメラシステムを説明する図である。図１において、電子スチルカメラ１００と携帯電話機２００とが通信媒体３００で接続されている。通信媒体３００は、たとえば、Ｂｌｕｅｔｏｏｔｈ（登録商標）などの無線通信である。本実施の形態では、携帯電話機２００が電子スチルカメラ１００のリモコン送受信機として動作し、電子スチルカメラ１００と携帯電話機２００との間で無線によるデータ伝送を行う。携帯電話機２００は、電子スチルカメラ１００に対して操作信号や画像に関連づける情報を送信する。電子スチルカメラ１００は、受信した操作信号に応じてカメラ動作を行い、受信した情報を画像に関連づけて記録する。電子スチルカメラ１００が撮影した画像データを携帯電話機２００に送信すると、携帯電話機２００は画像データを受信してＬＣＤ表示部に表示する。
【０００８】
電子スチルカメラ１００は、電源スイッチ１１１と、レリーズボタン１１２と、ズームアップスイッチ１１３と、ズームダウンスイッチ１１４と、画像データ削除スイッチ１１５と、画像データ表示延長スイッチ１１６と、リモコン動作モードオン／オフ切替えスイッチ１１７と、ＬＣＤ表示部１１８とを有する。電源スイッチ１１１は、電子スチルカメラ１００の電源のオン／オフを行う操作部材である。レリーズボタン１１２は、電子スチルカメラ１００に撮影動作を開始させる操作部材である。ズームアップスイッチ１１３は、不図示の撮影レンズのズーム倍率を上げるための操作部材である。ズームダウンスイッチ１１４は、撮影レンズのズーム倍率を下げるための操作部材である。画像データ削除スイッチ１１５は、撮影した画像データを削除するための操作部材である。
【０００９】
画像データ表示延長スイッチ１１６は、レリーズボタン１１２の操作後に実際に撮影された画像データによる画像（フリーズ画像）がＬＣＤ表示部１１８に表示される時間を延長させる操作部材である。フリーズ画像の表示時間は通常、たとえば、３秒間であるが、画像データ表示延長スイッチ１１６の操作によりさらに１０秒間延長される。リモコン動作モードオン／オフ切替えスイッチ１１７は、カメラをリモコン動作モードにするか否かを切換える操作部材である。電子スチルカメラ１００は、リモコン動作モードに設定されているとき、リモコンによって操作され、リモコン動作モードに設定されていないとき、カメラの操作部材によって操作される。なお、電子スチルカメラ１００の上記各スイッチおよびボタンを総称して操作部材１１０とする。
【００１０】
携帯電話機２００は、電源スイッチ２１１と、第１のファンクションスイッチ２１２と、第２のファンクションスイッチ２１３と、第３のファンクションスイッチ２１４と、ＬＣＤ表示部２１５とを有する。電源スイッチ２１１は、携帯電話機２００の電源のオン／オフを行う操作部材である。第１のファンクションスイッチ２１２〜第３のファンクションスイッチ２１４は、それぞれ電子スチルカメラ１００に対する操作を行う操作部材である。各ファンクションスイッチの機能はＬＣＤ表示部２１５上に表示される。ＬＣＤ表示部２１５は、電子スチルカメラ１００から送信される画像データによる画像を表示する他、第１のファンクションスイッチ２１２〜第３のファンクションスイッチ２１４の機能を表示する。なお、携帯電話機２００の上記各スイッチを総称して操作部材２１０とする。
【００１１】
図２は、電子スチルカメラ１００の概要を示すブロック図である。図２において、電子スチルカメラ１００は、撮影ズームレンズ１３１と、撮像素子１３２と、Ａ／Ｄ変換回路１３３と、画像処理回路１３４と、バッファメモリ１３５と、ＣＰＵ１３６と、フレームメモリ１３７と、ＬＣＤ表示部１１８と、ズームレンズ駆動装置１３８と、送受信回路１５０と、操作部材１１０とを有する。操作部材１１０には上述したレリーズボタン１１２などが含まれている。操作部材１１０が操作されると、各スイッチおよびボタンによる操作信号がＣＰＵ１３６に送られる。また、電子スチルカメラ１００には、着脱可能な記録媒体１４０が設けられている。
【００１２】
電源スイッチ１１１がオン操作されると、ＣＰＵ１３６は電子スチルカメラ１００の所定のオン動作を行って制御プログラムを起動する。ＣＰＵ１３６は、たとえば、ＣＣＤなどによって構成される撮像素子１３２に対し、電荷蓄積および蓄積電荷読み出しのための動作タイミングを制御する。ＣＰＵ１３６は、ズームアップスイッチ１１３およびズームダウンスイッチ１１４（図１）からズーム操作信号が入力されると、操作信号に応じてズームレンズ駆動装置１３８にレンズ駆動指令を出力し、ズームレンズ１３１の焦点距離を変化させる。
【００１３】
レリーズボタン１１２（図１）からのレリーズ操作信号がＣＰＵ１３６に入力されると、ＣＰＵ１３６は撮影動作を開始させる。なお、カメラがリモコン動作モードに設定されている状態では、送受信回路１５０によって受信されるレリーズ信号によって撮影動作を開始させる。撮像素子１３２の撮像面上に撮影ズームレンズ１３１による被写体像が結像され、撮像素子１３２は被写体光の明るさに応じて信号電荷を蓄積する。撮像素子１３２に蓄積された信号電荷はＣＰＵ１３６によるタイミング信号によって吐き出され、Ａ／Ｄ変換回路１３３でアナログ撮像信号からディジタル信号に変換される。ディジタル変換された信号は画像処理回路１３４に導かれ、輪郭補償やガンマ補正、色温度調整など、所定の画像処理が行われ、バッファメモリ１３５に一時格納される。
【００１４】
画像処理後の画像データは、画像処理回路１３４により表示用の画像データに処理され、フレームメモリ１３７に格納される。フレームメモリ１３７に格納された表示用データは、ＬＣＤ表示部１１８などの外部モニタに撮影結果（フリーズ画像）として表示される。画像処理回路１３４はさらに、バッファメモリ１３５内の上記画像処理後の画像データをＪＰＥＧなどの記録方式で所定の比率にデータ圧縮する処理を行う。データ圧縮を受けた画像データは、ＣＰＵ１３６によって所定のファイル名が付与され、記録媒体１４０に記録される。ファイル名が付与されたデータファイルには、画像データに関連する情報を保存するエリアが用意される。電子スチルカメラ１００は、画像に関連する情報を必要に応じて上記エリアに記録する。画像データに関連して記録する情報については後述する。
【００１５】
画像処理回路１３４は、電子スチルカメラ１００がリモコン動作モードに設定されている状態において、バッファメモリ１３５に格納された上記画像処理後の画像データから携帯電話機２００が有するＬＣＤ表示部２１５の表示解像度に応じた縮小画像データを生成する。縮小画像データは、送受信回路１５０によって送信波にのせられ、アンテナ１５０Ａから携帯電話機２００に向けて送信される。送受信回路１５０は、カメラがリモコン動作モードに設定されるとき、上記縮小画像データの送信の他にも携帯電話機２００との間で所定のデータ通信を行う。
【００１６】
図３は、携帯電話機２００の概要を示すブロック図である。図３において、携帯電話機２００は、音声入出力回路２３１と、ＣＰＵ２３２と、メモリ２３３と、送受信回路２３４と、フレームメモリ２３５と、メモリスロット２３６と、ＧＰＳ装置２３７と、ＬＣＤ表示部２１５と、操作部材２１０とを有する。操作部材２１０には上述した第１のファンクションスイッチ２１２〜第３のファンクションスイッチ２１４などが含まれている。操作部材２１０が操作されると、各スイッチによる操作信号がＣＰＵ２３２に送られる。
【００１７】
電源スイッチ２１１がオン操作されると、ＣＰＵ２３２は携帯電話機２００の所定のオン動作を行って制御プログラムを起動する。ＣＰＵ２３２は、電子スチルカメラ１００からのリモコン動作モードオンを示す信号を送受信回路２３４で受信すると、携帯電話機２００を電子スチルカメラ１００のリモコン送受信機として動作させる。送受信回路２３４は、携帯電話機２００がリモコン送受信機として動作するとき、電子スチルカメラ１００との間で所定のデータ通信を行う。一方、ＣＰＵ２３２は、電子スチルカメラ１００がリモコン動作モードに設定されていないとき、携帯電話機２００を電話機として動作させる。送受信回路２３４は、携帯電話機２００が電話機として動作するとき、電話機用基地局との間で所定のデータ通信を行う。本実施の形態では、携帯電話機２００がリモコン送受信機として使用されるときの動作に特徴があるので、主としてリモコン送受信機としての動作を説明し、電話機の動作説明を省略する。
【００１８】
ＣＰＵ２３２は、第１のファンクションスイッチ２１２〜第３のファンクションスイッチ２１４のいずれかのスイッチからレリーズ操作信号やズーム操作信号などが入力されると、送受信回路２３４に指令を送り、各操作信号を送信波にのせてアンテナ２３４Ａから電子スチルカメラ１００に向けて送信させる。電子スチルカメラ１００から縮小画像データが送信されると、送受信回路２３４は、アンテナ２３４Ａを介して縮小画像データを受信する。ＣＰＵ２３２は、送受信回路２３４で復調された縮小画像データをフレームメモリ２３５に格納する。これにより、格納された縮小画像データによる画像がＬＣＤ表示部２１５に撮影結果として表示される。
【００１９】
ＧＰＳ装置２３７は、衛星から送信されるＧＰＳデータの信号をアンテナ２３７Ａで受信し、受信データに周知の演算を行うことにより、携帯電話機２００の位置情報を生成する。
【００２０】
メモリ２３３には、携帯電話機２００の所有者情報や、携帯電話機２００に登録されている通話先の電話番号や名称などのデータベースが格納される。所有者情報には、当該電話機２００の電話番号、所有者名、所有者のスケジュールなどが含まれる。また、メモリ２３３には着信メロディの情報も格納される。着信メロディは、携帯電話機２００が電話機として使用される場合に着信を知らせる音声情報である。着信時に着信メロディを再生するように携帯電話機２００が設定されている場合、メモリ２３３に格納されているメロディの情報が読み出され、後述する着信メロディの再生が行われる。
【００２１】
メモリ２３３にはさらに、携帯電話機２００が電子スチルカメラ１００のリモコン送受信機として動作する場合の動作プログラム（リモコンアプリケーションプログラム）も格納される。この動作プログラムは、たとえば、ＪＡＶＡ（登録商標）アプリケーションとして作成され、以下のいずれかの方法によって携帯電話機２００内に格納される。
【００２２】
▲１▼プログラムを提供する所定の通話先に携帯電話機２００を電話接続し、通話先から携帯電話機２００内のメモリ２３３に電話回線を通じてプログラムをダウンロードする。
▲２▼プログラムを保持するパソコン、もしくはプログラムをダウンロード可能なＷｅｂサイトに接続されているパソコンと携帯電話機２００とをケーブル接続し、ケーブルを介して携帯電話機２００内のメモリ２３３にプログラムをダウンロードする。
▲３▼プログラムを保持するパソコンから不図示のメモリカードにプログラムを格納し、このメモリカードをメモリスロット２３６に装着してメモリ２３３にプログラムをロードする。
▲４▼プログラムを保持する電子スチルカメラ１００と携帯電話機２００との間を通信媒体３００で接続し、カメラから携帯電話機２００内のメモリ２３３にプログラムをダウンロードする。
▲５▼プログラムを保持し、通信媒体３００に接続されるパソコンと携帯電話機２００との間を通信媒体３００で接続し、パソコンから携帯電話機２００内のメモリ２３３にプログラムをダウンロードする。
【００２３】
音声入出力回路２３１は、音声信号の入出力インターフェイスである。マイク２３１Ａから入力される音声信号は、音声入出力回路２３１によって所定の音声データに変換され、音声データが送受信回路２３４へ送られる。送受信回路２３４に送られた音声データは、送信波にのせてアンテナ２３４Ａから送信される。一方、アンテナ２３４Ａを介して受信され、送受信回路２３４で復調された音声データは、音声入出力回路２３１に入力される。この音声データは、音声入出力回路２３１で音声信号に復調され、スピーカ２３１Ｂによって再生される。音声入出力回路２３１は、上述した着信メロディの再生も行う。携帯電話機２００が着信メロディを再生するように設定されている場合、携帯電話機２００の着信時にメモリ２３３内に格納されている着信メロディの情報を復調し、スピーカ２３１Ｂで再生させる。
【００２４】
以上の電子スチルカメラ１００と携帯電話機２００とで構成される電子カメラシステムにおいて、送受されるデータの流れを図４を参照して説明する。データ通信は、Ｂｌｕｅｔｏｏｔｈ（登録商標）システムで定められるプロトコルに基づいて行われる。図４において、左側が電子スチルカメラ１００を表し、右側が携帯電話機２００を表す。また、縦方向が時間を表し、時間が経過するにつれて図４の下方に進む。図中のステップ番号が付された矢印は、電子スチルカメラ１００と携帯電話機２００間のデータの流れを表す。なお、図４はわかりやすく説明するために主要部分を抽出して表したもので、実際のデータの流れを全て表したものではない。
【００２５】
電子スチルカメラ１００がリモコン動作モードに設定されると、電子スチルカメラ１００は、ステップＳ２０１においてリモコン動作モードオン信号を送信する。携帯電話機２００は、リモコン動作モードオン信号を受信するとリモコン送受信機の動作を開始し、ステップＳ２０２においてリモコン動作開始を示す信号を送信する。電子スチルカメラ１００は、リモコン動作開始の信号を受けると、ステップＳ２０３において携帯電話機２００の電話番号を要求する信号を送信する。携帯電話機２００は、電話番号要求の信号を受けるとメモリ２３３内のデータベースから電話番号および所有者名を示すデータを読み出し、ステップＳ２０４において電話番号および所有者のデータを送信する。
【００２６】
電子スチルカメラ１００は、電話番号および所有者のデータを受けるとバッファメモリ１３５内に格納し、ステップＳ２０５においてスケジュールを要求する信号を送信する。携帯電話機２００は、スケジュール要求の信号を受けるとメモリ２３３内のデータベースを検索し、この時点の時刻に該当するスケジュールのデータを読み出す。ステップＳ２０６において、携帯電話機２００は、読み出したスケジュールを示すデータを送信する。当該時刻のスケジュールデータがない場合は、最も近い時刻のスケジュールデータを読み出して送信する。なお、スケジュールデータがシークレット扱いに設定されている場合、もしくは当日のスケジュールデータが登録されていない場合には、スケジュールデータを読み出さずにブランクデータのみを送信する。
【００２７】
電子スチルカメラ１００は、スケジュールのデータを受けるとバッファメモリ１３５内に格納し、ステップＳ２０７において位置情報のデータを要求する信号を送信する。携帯電話機２００は、位置情報要求の信号を受けるとＧＰＳ装置２３７でＧＰＳ情報を取得し、取得したＧＰＳ情報から位置情報を生成する。ステップＳ２０８において、携帯電話機２００は、生成した位置情報を送信する。
【００２８】
電子スチルカメラ１００は、位置情報のデータを受けるとバッファメモリ１３５内に格納し、ステップＳ２０９において着信メロディのデータを要求する信号を送信する。携帯電話機２００は、着信メロディ要求の信号を受けるとメモリ２３３から着信メロディを示すデータを読み出し、ステップＳ２１０において着信メロディのデータを送信する。電子スチルカメラ１００は、着信メロディのデータを受けるとバッファメモリ１３５内に格納し、ステップＳ２１１においてＬＣＤ表示部２１５の表示解像度を示すデータを要求する信号を送信する。ステップＳ２１２において、携帯電話機２００は、ＬＣＤ表示部２１５の解像度データを送信する。以上の処理により、撮影の準備が整う。
【００２９】
図５は、撮影準備が整った電子カメラシステムで、レリーズ操作された場合に送受されるデータの流れを説明する図である。電子スチルカメラ１００は、レリーズ前の撮像を開始し、ＡＥ動作（露出演算）およびＡＦ動作（デフォーカス量演算および合焦動作）を行う。電子スチルカメラ１００は、携帯電話機２００が有するＬＣＤ表示部２１５の表示解像度に応じてスルー画像データにリサイズ処理を行い、スルー画像の縮小画像データを生成する。また電子スチルカメラ１００は、縮小画像データを送信する際の通信速度およびフレームレートを決定する。ステップＳ１０１において、電子スチルカメラ１００は、スルー画像データを送信する。
【００３０】
ステップＳ１０２において、携帯電話機２００は、スルー画像データをＬＣＤ表示部２１５に表示するとともに、次のデータ受信の用意ができたことを示す信号を送信する。電子スチルカメラ１００は、ＡＥ動作およびＡＦ動作を行って次のフレーム画像としてレリーズ前の撮像を開始する。電子スチルカメラ１００は、スルー画像データにリサイズ処理を施し、スルー画像の縮小画像データを生成する。ステップＳ１０３において、電子スチルカメラ１００は、スルー画像データを送信する。ステップＳ１０４において、携帯電話機２００は、スルー画像データをＬＣＤ表示部２１５に表示するとともに、次のデータ受信の用意ができたことを示す信号を送信する。
【００３１】
操作者は、第１のファンクションスイッチ２１２もしくは第３のファンクションスイッチ２１４を操作してズーム操作を行う。図６（ａ）は、携帯電話機２００のＬＣＤ表示部２１５にスルー画像が表示されている例を示す図である。ＬＣＤ表示部２１５にスルー画像５Ｓが表示される。ＬＣＤ表示部２１５にはさらに、第１のファンクションスイッチ２１２の近傍にワイド側を示すズームアイコン５１が、第３のファンクションスイッチ２１４の近傍にテレ側を示すズームアイコン５２が、第２のファンクションスイッチ２１３の近傍にレリーズボタンを示すアイコン５３がそれぞれ表示される。本実施の形態では、第１のファンクションスイッチ２１２にズームダウンスイッチの機能が付与される。また、第３のファンクションスイッチ２１４にズームアップスイッチの機能が付与される。さらに、第２のファンクションスイッチ２１３にレリーズボタンの機能が付与される。
【００３２】
ステップＳ１０５において、携帯電話機２００は、第１のファンクションスイッチ２１２もしくは第３のファンクションスイッチ２１４からの操作信号に応じてズーム操作信号を送信する。電子スチルカメラ１００は、ズーム操作信号に応じてズームレンズ１３１（図２）の焦点距離を変化させる。電子スチルカメラ１００は、ＡＥ動作およびＡＦ動作を行って次のフレーム画像としてレリーズ前の撮像を開始する。電子スチルカメラ１００は、スルー画像データにリサイズ処理を施し、スルー画像の縮小画像データを生成する。ステップＳ１０６において、電子スチルカメラ１００は、スルー画像データを送信する。ステップＳ１０７において、携帯電話機２００は、スルー画像データをＬＣＤ表示部２１５に表示するとともに、次のデータ受信の用意ができたことを示す信号を送信する。
【００３３】
操作者は、第２のファンクションスイッチ２１３を操作してレリーズ操作を行う。ステップＳ１０８において、携帯電話機２００は、第２のファンクションスイッチ２１３からの操作信号に応じてレリーズ操作信号を送信する。電子スチルカメラ１００は、ＡＥ動作およびＡＦ動作を行って撮影を開始する。
【００３４】
電子スチルカメラ１００は、フリーズ画像データにリサイズ処理を施し、フリーズ画像の縮小画像データを生成する。ステップＳ１０９において、電子スチルカメラ１００は、フリーズ画像データを送信する。携帯電話機２００は、受信したフリーズ画像データをＬＣＤ表示部２１５に表示する。
【００３５】
電子スチルカメラ１００は、データ圧縮後の画像データと、携帯電話機２００から送信されてバッファメモリ１３５内に格納されている電話番号（所有者）、スケジュール、位置情報、着信メロディなどの各データとを関連づけて記録媒体１４０（図２）に記録する。
【００３６】
図６（ｂ）は、携帯電話機２００のＬＣＤ表示部２１５にフリーズ画像が表示されている例を示す図である。ＬＣＤ表示部２１５にフリーズ画像５Ｆが表示される。ＬＣＤ表示部２１５にはさらに、第１のファンクションスイッチ２１２の近傍に削除アイコン５４が、第２のファンクションスイッチ２１３の近傍にフリーズ表示延長アイコン５５が、それぞれ表示される。本実施の形態では、第１のファンクションスイッチ２１２に画像データ削除スイッチの機能が付与される。また、第２のファンクションスイッチ２１３に画像データ表示延長スイッチの機能が付与される。
【００３７】
ＬＣＤ表示部２１５にフリーズ画像５Ｆおよび上記各アイコン５４、５５が表示された状態で操作者が第１のファンクションスイッチ２１２を操作すると、ステップＳ１１０において、携帯電話機２００は、記録媒体１４０に記録された画像データファイルと関連づけられたデータとを削除するように指示する信号を送信する。これにより、電子スチルカメラ１００は、フリーズ画像５Ｆに対応する画像データ、および関連づけたデータが記録されている場合には当該関連データを記録媒体１４０から削除する。
【００３８】
ＬＣＤ表示部２１５にフリーズ画像５Ｆおよび上記各アイコン５４、５５が表示される時間は、たとえば、５秒間とする。ここで、５秒間が経過する前に操作者が第２のファンクションスイッチ２１３を操作すると、携帯電話機２００は、フリーズ画像５Ｆおよび上記各アイコン５４、５５の表示時間を延長（たとえば、さらに５秒間）する。
【００３９】
携帯電話機２００は、ＬＣＤ表示部２１５にフリーズ画像５Ｆおよび上記各アイコン５４、５５を表示してから経過した時間が上述した５秒間（延長した場合は延長時間）超えると、各アイコン５４、５５の表示を止める。ステップＳ１１１において、携帯電話機２００は、次のデータ受信の用意ができたことを示す信号を送信する。
【００４０】
電子スチルカメラ１００は、ＡＥ動作およびＡＦ動作を行って次のフレーム画像としてレリーズ前の撮像を開始する。電子スチルカメラ１００は、スルー画像データにリサイズ処理を施し、スルー画像の縮小画像データを生成する。ステップＳ１１２において、電子スチルカメラ１００は、スルー画像データを送信する。以降、上述したデータ送信が繰り返される。
【００４１】
以上説明した電子カメラシステムにおいて、レリーズ操作信号が入力された場合はレリーズ操作を優先する。たとえば、電子スチルカメラ１００から携帯電話機２００にスルー画像データを送信中に、携帯電話機２００でレリーズ操作が行われた（第２のファンクションスイッチ２１３が操作された）場合、携帯電話機２００のＣＰＵ２３２は、ただちにレリーズ操作信号を送受信回路２３４から送信する。電子スチルカメラ１００は、レリーズ操作信号を送受信回路１５０で受信すると、スルー画像データの送信を中止して撮影を開始する。これにより、撮影したいタイミングで撮影が行われるようになり、レリーズ操作に対する電子スチルカメラ１００の反応がよくなる。
【００４２】
以上説明した実施の形態によれば、次の作用効果が得られる。
（１）リモコン送受信機である携帯電話機２００から電話番号（所有者）、スケジュール、位置情報、着信メロディなどの各データを電子スチルカメラ１００へ送信する。電子スチルカメラ１００は、撮影した画像データを記録媒体１４０に記録するとき、携帯電話機２００から送信された情報を撮影した画像データに関連づけて記録媒体１４０に記録する。携帯電話機２００内に格納されているデータを利用することで、画像に関連づける情報をわざわざパソコンなどを用いて入力する必要がない。電話番号（所有者）が記録されることで、撮影者（リモコン操作した被写体）の情報を画像とともに残すことができる。スケジュールが記録されることで、当該画像の撮影時にどのように行動していたかを示す情報を画像とともに残すことができる。位置情報が記録されることで、当該画像が撮影された場所の情報を画像とともに残すことができる。着信メロディが記録されることで、当該画像の撮影時に撮影者が好んでいたメロディの情報を画像とともに残すことができる。
（２）リモコン送受信機である携帯電話機２００からの操作信号によって電子スチルカメラ１００で撮像された画像（スルー画像、フリーズ画像）を、携帯電話機２００側のＬＣＤ表示部２１５の表示解像度に応じてリサイズ処理し、電子スチルカメラ１００から携帯電話機２００に送信するようにした。したがって、携帯電話機２００側で画像を確認することができる上に、表示に必要なデータサイズで電子スチルカメラ１００から携帯電話機２００に送信するので、データ送信に要する時間を最小限に抑えることができる。
（３）リモコン送受信機としてＪａｖａ（登録商標）アプリケーションで動作する携帯電話機２００を用いるので、リモコン専用機を用意する必要がなく、リモコン専用機を用意する場合に比べてコストを低減できる。
（４）携帯電話機２００のＬＣＤ表示部２１５にフリーズ画表示されてから所定時間（たとえば、５秒）が経過するまでの間、電子スチルカメラ１００の記録媒体１４０に記録された画像データファイルを携帯電話機２００からのリモコン操作で削除するようにした。これにより、リモコン操作で撮影するとき、電子スチルカメラ１００から離れたままで不要な画像データを削除することができる。
【００４３】
撮影画像とともに記録された各データは、パソコン上や電子アルバム装置などで表示したり、再生したりされる。たとえば、撮影画像を電子アルバム装置のディスプレイ画面に表示し、再生画像に重ねて撮影者名（所有者）や撮影位置情報、スケジュールなどをスーパーインポーズ表示しながら、着信メロディを再生する。
【００４４】
撮影画像の再生表示は、電子スチルカメラ１００で行ってもよい。この場合、電子スチルカメラ１００に音声再生機能が設けられていれば、画像表示に合わせて着信メロディが再生される。
【００４５】
以上の説明では、１台の電子スチルカメラ１００と１台の携帯電話機２００との組み合わせを例に上げて説明したが、１対多数の組み合わせであってもよい。たとえば、１台の電子スチルカメラ１００と５台の携帯電話機２００とをあらかじめ接続相手として登録しておけば、５台の携帯電話機２００の中でいずれの携帯電話機から送信されるレリーズ操作信号であっても、電子スチルカメラ１００に撮影を行わせることができる。この場合、スルー画像データおよびフリーズ画像データは、あらかじめ接続相手として登録した上で通信接続されている全ての携帯電話機２００に送信される。
【００４６】
複数の携帯電話機２００との組み合わせで使用する場合には、電子スチルカメラ１００に複数の携帯電話機２００からそれぞれ、電話番号（所有者）、スケジュール、位置情報、着信メロディなどの各データが送信される。電子スチルカメラ１００は、撮影した画像データを記録媒体１４０に記録するとき、上記複数の携帯電話機２００からの情報を撮影した画像データに関連づけて記録媒体に記録してもよい。複数の携帯電話機２００からの情報が電子スチルカメラ１００に送信されるとき、これらの携帯電話機２００を所有する人たちが被写体として電子スチルカメラ１００で撮影される可能性が高い。撮影した画像データとともにこれらの情報を記録することで、一緒に撮影された人々のリストを生成することが可能になる。
【００４７】
上述した例では、撮影した画像データを電子スチルカメラ１００の記録媒体１４０にのみ記録するようにしたが、撮影した画像データを携帯電話機２００へ送信し、携帯電話機２００内にも記録（格納）するようにしてもよい。
【００４８】
リモコン送受信機として携帯電話機２００を用いる例を説明したが、送受信回路１５０を有する電子スチルカメラ１００を複数台用い、いずれかのカメラをリモコン送受信機として使用するようにしてもよい。
【００４９】
また、リモコン送受信機として携帯電話機２００を用いる代わりに、無線通信機能を有するＰＤＡ（携帯型情報端末）や携帯型パソコンなどを利用してもよい。
【００５０】
撮影した画像データに関連づけて記録媒体に記録する情報は、電話番号（所有者）、スケジュール、位置情報、着信メロディなどを例にあげたが、これらの中から選択した情報について記録するようにしてもよい。また、情報の送信順序は、上述した順序の通りでなくてもよい。
【００５１】
また、携帯電話機２００のＬＣＤ表示部２１５にフリーズ画が表示されている状態において、第３のファンクションスイッチ２１４に音声録音ボタンの機能を付与しておくことにより、携帯電話機２００に音声メモ機能を付加することも可能である。これは、携帯電話機２００のＬＣＤ表示部２１５がフリーズ画を表示している間に第３のファンクションスイッチ２１４を操作してマイク２３１Ａを介して音声を入力することにより、携帯電話機２００を用いて画像データに対応する音声を記録するものである。記録された音声データは、上述した他の関連づけ情報と同様に、携帯電話機２００から電子スチルカメラ１００に送信し、電子スチルカメラ１００内で対象の画像データと関連づけされて記録するようにしてもよいし、携帯電話機２００のメモリ２３３で保持（格納）するようにしてもよい。また、音声データは、第３のファンクションスイッチ２１４の１回の操作であらかじめ決められた所定時間の音声データを記録するようにしてもよいし、第３のファンクションスイッチ２１４を操作している時間に応じて継続的に音声データを記録するようにしてもよい。
【００５２】
フリーズ画がＬＣＤ表示部２１５に表示された状態で第３のファンクションスイッチ２１４が操作された場合には、フリーズ画の表示時間を延長するようにしてもよい。第３のファンクションスイッチ２１４が操作された場合のフリーズ画の表示延長時間は、第２のファンクションスイッチ２１３による表示延長時間と同じにしてもよいし、第２のファンクションスイッチ２１３による表示延長時間とは異なる時間、たとえば、録音（音声記録）時間に応じた時間だけ延長するようにしてもよい。
【００５３】
上述した例では、電子スチルカメラ１００がリモコン動作モードに設定されると、レリーズ操作に先立って携帯電話機２００から電子スチルカメラ１００へ画像データに関連づける情報を送信するようにしたが、レリーズ操作が行われてから送信するようにしてもよい。この場合には、電子スチルカメラ１００が撮影動作を行ってから記録媒体に画像データを記録するまでの間に、携帯電話機２００から電子スチルカメラ１００へ情報を送信するのが好ましい。
【００５４】
画像データに関連づけて位置情報を記録するようにしたが、位置情報は、緯度経度を示す情報だけでなく、地名や施設名などを含めてもよい。この場合には、携帯電話機２００が電話機の回線を使用して地図データベースにアクセスし、生成した位置情報に対応する地名や施設名などの情報を取得する。携帯電話機２００は、このように得た情報を電子スチルカメラ１００へ送信する。
【００５５】
携帯電話機２００が電話機の回線を使用してデータベースにアクセスして得る情報は、地名や施設名に限らず、ニュースやイベント情報などでもよい。
【００５６】
特許請求の範囲における各構成要素と、発明の実施の形態における各構成要素との対応について説明する。撮像装置は、たとえば、撮像素子１３２によって構成される。外部機器は、たとえば、携帯電話機２００によって構成される。通信回路および第１の通信回路は、たとえば、送受信回路１５０によって構成される。画像信号は、たとえば、撮像素子１３２による撮像信号が対応する。記録回路、制御回路、および第１の制御回路は、たとえば、ＣＰＵ１３６によって構成される。第２の通信回路は、たとえば、送受信回路２３４によって構成される。第２の制御回路は、たとえば、ＣＰＵ２３２によって構成される。記憶回路は、たとえば、メモリ２３３によって構成される。表示装置は、たとえば、ＬＣＤ表示部２１５によって構成される。操作部材は、たとえば、第１のファンクションスイッチ２１２によって構成される。音声入力回路は、たとえば、音声入出力回路２３１によって構成される。なお、本発明の特徴的な機能を損なわない限り、各構成要素は上記構成に限定されるものではない。
【００５７】
【発明の効果】
以上詳細に説明したように本発明によれば、電子カメラが撮像した画像に関連づけて外部機器から出力される情報を記録するようにしたので、画像に関連づける情報をパソコンなどからわざわざ入力しなくてもよい。
【図面の簡単な説明】
【図１】一実施の形態による電子カメラシステムを説明する図である。
【図２】電子スチルカメラの概要を示すブロック図である。
【図３】携帯電話機の概要を示すブロック図である。
【図４】電子カメラシステムで送受されるデータの流れを説明する図である。
【図５】撮影時に電子カメラシステムで送受されるデータの流れを説明する図である。
【図６】（ａ）携帯電話機のＬＣＤ表示部にスルー画像が表示されている例を示す図、（ｂ）携帯電話機のＬＣＤ表示部にフリーズ画像が表示されている例を示す図である。
【符号の説明】
１００…電子スチルカメラ、　　　　　１１１、２１１…電源スイッチ、
１１２…レリーズボタン、　　　　　　１１３…ズームダウンスイッチ、
１１４…ズームアップスイッチ、　　　１１５…画像データ削除スイッチ、
１１６…画像データ表示延長スイッチ、１１７…リモコン動作モードオン／オフ切替えスイッチ、　　　　　　　　　　１１８、２１５…ＬＣＤ表示部、
２００…携帯電話機、　　　　　　　　２１２…第１のファンクションスイッチ、
２１３…第２のファンクションスイッチ、
２１４…第３のファンクションスイッチ、
２３１…音声入出力回路、　　　　　　２３７…ＧＰＳ装置、
３００…通信媒体
【図１】
2004096165.tif 000003
【図２】
2004096165.tif 000004
【図３】
2004096165.tif 000005
【図４】
2004096165.tif 000006
【図５】
2004096165.tif 000007
【図６】
2004096165.tif 000008